(57)【要約】【課題】  対戦相手のジャイロの特徴に応じて異なる組立方法を自由に選択できる両面取り付け可能なジャイロリングを有するジャイロ玩具を提供する。【解決手段】  本発明の両面取り付け可能なジャイロリングを有するジャイロ玩具は、軸体と、ジャイロリングと、軸体に配設した先端部とカバーとを備え、ジャイロリングを軸体に装着する方向を上下反転させることができ、軸体に装着するジャイロリングの上下の向きを反転させることによって、異なる形状又は異なる重心高さを有するジャイロを形成できることを特徴とする。本発明では、軸体にジャイロリングを装着する方向を上下反転させることができる構成を採用する。すなわち、ジャイロリングを、表側を上に向けて軸体に装着することができる、或いはジャイロリングを、裏側を上に向けて軸体に装着することができる。そのため、本発明のプレー中、ジャイロリングを異なる方向に軸体に取り付けて、異なる形状又は異なる重心高さを有するジャイロを形成することができる。したがって、具現化される機能は異なり、ユーザは対戦相手のジャイロの特徴に応じて異なる方法を選択することができる。【選択図】  図１
2016534840.tif 000002
【特許請求の範囲】
【請求項１】
軸体（１）と、ジャイロリング（２）と、前記軸体（１）に配設した先端部（３）及びカバー（４）と、を備えており、
前記ジャイロリング（２）は、前記軸体（１）に装着する方向を上下反転可能に構成され、
前記軸体（１）に装着する前記ジャイロリング（２）の上下の向きを反転させることによって、異なる形状又は異なる重心高さを有するジャイロを形成可能であることを特徴とする、両面取り付け可能なジャイロリングを有するジャイロ玩具。
【請求項２】
前記ジャイロリング（２）の上側及び下側における構造形状又は重心設定は、互いに異なっていることを特徴とする請求項１に記載の両面取り付け可能なジャイロリングを有するジャイロ玩具。
【請求項３】
前記ジャイロリング（２）は、前記軸体（１）に嵌係合するロック機構を備え、
前記ジャイロリング（２）は、前記ロック機構により前記軸体（１）に確実に接続されており、
前記ロック機構は、前記ジャイロリング（２）の中間高さ位置に設置され、または、中間でない高さ位置に設置されていることを特徴とする請求項１又は請求項２に記載の両面取り付け可能なジャイロリングを有するジャイロ玩具。
【請求項４】
前記ジャイロリング（２）は、
中央に貫通孔を有する円形攻撃リング（２０）と、
前記攻撃リング（２０）の前記貫通孔に嵌合し、前記攻撃リング（２０）と前記軸体（１）を確実に接続するために用いられるスクリューリングと、を備えており、
前記ロック機構は、前記スクリューリングに設けられていることを特徴とする請求項３に記載の両面取り付け可能なジャイロリングを有するジャイロ玩具。
【請求項５】
前記スクリューリングは、前記攻撃リング（２０）の前記貫通孔に嵌合する上方及び下方カバーリング（２１、２２）からなり、
前記ロック機構は、これに対応して前記上方及び下方カバーリング（２１、２２）の内壁に配設される上方及び下方フランジ（２３、２４）を備えており、
前記軸体（１）が、前記上方及び下方カバーリング（２１、２２）のリング孔を摺動するときに、前記上方及び下方フランジ（２３、２４）の嵌合及び係止と、前記軸体（１）に配設したブロック機構とにより、前記上方及び下方カバーリング（２１、２２）は、前記軸体（１）と確実に接続されていることを特徴とする請求項４に記載の両面取り付け可能なジャイロリングを有するジャイロ玩具。
【請求項６】
前記上方カバーリング（２１）の内端部を収束構造とし、前記上方フランジ（２３）は前記内端部の開口に配置され、
前記下方カバーリング（２２）の外端部を収束構造とし、前記下方フランジ（２４）は前記下方カバーリング（２２）の内壁の中間部分の前記上方フランジ（２３）の近傍位置に配置されていることを特徴とする請求項５に記載の両面取り付け可能なジャイロリングを有するジャイロ玩具。
【請求項７】
前記軸体（１）は、軸スリーブ（１１）と、前記軸スリーブ（１１）に回転可能に設けられているクランプリング（１２）とを備え、
前記ブロック機構は、前記軸スリーブ（１１）の外壁に軸方向に配設され、前記上方及び下方フランジ（２３、２４）の摺動に使用される凹状のクランプスロット（１３）と、前記クランプリング（１２）に一体的に設けられ、前記軸スリーブ（１１）から延出するピン（１４）とを備え、
前記軸スリーブ（１１）の前記外壁は、これに対応して前記ピン（１４）が進入して水平方向に回転するガイドスロット（１５）を備えており、
前記スクリューリングの前記上方及び下方フランジ（２３、２４）が前記クランプスロット（１３）内を摺動するときに、前記ピン（１４）が前記上方及び下方フランジ（２３、２４）の上方又は下方を回転できるように、前記クランプリング（１２）は回転するように構成されており、
前記ジャイロリング（２）と前記軸体（１）を確実に接続するように、前記上方及び下方フランジ（２３、２４）は、前記ピン（１４）と前記クランプスロット（１３）の１つの端縁部の間に確実にロックされていることを特徴とする請求項５に記載の両面取り付け可能なジャイロリングを有するジャイロ玩具。
【請求項８】
前記軸スリーブ（１１）は、互いに嵌合する上方及び下方軸スリーブ（１１１、１１２）を備えており、
前記下方軸スリーブ（１１２）の上部は、前記上方軸スリーブ（１１１）に接続され、
前記クランプリング（１２）は、前記上方及び下方軸スリーブ（１１１、１１２）間に回転可能に配置され、
前記クランプリング（１２）の上端部は、組立工具と嵌合させて使用できる歯機構をさらに備えていることを特徴とする請求項７に記載の両面取り付け可能なジャイロリングを有するジャイロ玩具。
【請求項９】
前記下方軸スリーブ（１１１）の上部は、上端部に配設したカバー（４）又は別のジャイロの弾性チップの底部と嵌着可能で、内壁が前記カバー（４）の下部と嵌係合する突起部（２８）を備えており、
前記クランプスロット（１３）は前記上方軸スリーブ（１１１）又は下方軸スリーブ（１１２）の外壁に設けられていることを特徴とする請求項８に記載の両面取り付け可能なジャイロリングを有するジャイロ玩具。
【請求項１０】
フランジ（２５）は、前記攻撃リング（２０）の前記貫通孔の内壁に一体的に設けられており、これに対応して前記上方及び下方カバーリング（２１、２２）の前記フランジ（２５）に対応する位置には、切欠部（２６、２７）が設けられ、
前記上方及び下方カバーリング（２１、２２）は、前記切欠部（２６、２７）と前記フランジ（２５）の嵌合によって、前記攻撃リング（２０）に確実に設置されていることを特徴とする請求項５に記載の両面取り付け可能なジャイロリングを有するジャイロ玩具。
【請求項１１】
前記攻撃リング（２０）は、金属材料により形成され、
前記スクリューリングは、プラストマー又はプラスチックにより形成されていることを特徴とする請求項４に記載の両面取り付け可能なジャイロリングを有するジャイロ玩具。
【請求項１２】
前記ジャイロリング（２）は、別のジャイロのジャイロリングに回転締め付け可能なクランプリングをさらに備えていることを特徴とする請求項３に記載の両面取り付け可能なジャイロリングを有するジャイロ玩具。
【発明の詳細な説明】
【技術分野】
【０００１】
本発明は、玩具の分野に係り、特に両面取り付け可能なジャイロリングを有するジャイロ玩具に関する。
【背景技術】
【０００２】
従来のジャイロ玩具は、基本的に軸、カバー、ジャイロリング及びチップで形成され、ジャイロ放出器をカバーに接続し、ジャイロを放出して回転させる。従来のジャイロではジャイロリングを軸体に装着する方法は１つしかない、すなわち、統一された方向にしか装着できず、反転させることができないため、ジャイロはたった１つの形状で１つの攻撃モードしか実行できず、ゲームモードが１つで、ほとんど面白みがない。したがって、このようなジャイロは次第に目新しさを失い、長期にわたってプレーヤーの支持を得ることは困難である。
【発明の概要】
【発明が解決しようとする課題】
【０００３】
本発明の目的は、上記の問題及び欠点に関連し、可変的組立方法を有し、ユーザが対戦相手のジャイロの特徴に応じて異なる組立方法を自由に選択できる両面取り付け可能なジャイロリングを有するジャイロ玩具を提供することであり、種々の異なる形状又は種々の重心で攻撃モードを実行し、ゲームモードが多様化し、構造が簡単かつ装着が容易である。
【課題を解決するための手段】
【０００４】
本発明の技術的解決法を以下のように実現する。
【０００５】
本発明の両面取り付け可能なジャイロリングを有するジャイロ玩具は、軸体と、ジャイロリングと、軸体に配設した先端部とカバーとを備え、ジャイロリングを軸体に装着する方向を上下反転させることができ、軸体に装着するジャイロリングの上下の向きを反転させることによって、種々の形状又は種々の重心高さを有するジャイロを形成することができる。
【０００６】
カバーを取り外す時にジャイロリングが軸体から分離しないように、また、ジャイロリングを反転させて軸体に接続する時に装着がより簡便になるように、ジャイロリングは軸体と嵌合するロック機構を備えてもよく、このロック機構によりジャイロリングは軸体に確実に接続される。
【０００７】
本発明では、ジャイロリングの向きを反転させた後に、明らかに異なる形状及び重心を有するジャイロを形成できるように、ジャイロリングの上側及び下側の構造形状又は重心設定が異なる；或いは反転の前後でジャイロの重心の高さが変化するように、ジャイロリングの中間でない高さ位置にロック機構を配設するが、これは、ジャイロリングの上側及び下側の構造形状又は重心設定が同一である場合に特に適している。これは、ジャイロの重心高さの変化は、主に、第一に、ジャイロリングと軸体を接続する接続機構（ロック機構）の設計位置の高さ、第二に、ジャイロリングの上側と下側の構造的差異による２つの側の重心の相違に影響されるためで、したがって、ジャイロリングの向きを反転させて形成したジャイロは、元のジャイロと異なる全体形状及び全体重心を有する。
【０００８】
ジャイロリングがより大きな回転慣性を有するように、また、ジャイロリングと軸体の密接な嵌合及び取り付けがより簡便となるように、ジャイロリングは、真ん中に貫通孔を有する攻撃リングと、攻撃リングの貫通孔に嵌合配設され、攻撃リングと軸体の確実な接続の実現に使用するスクリューリングとを備え、スクリューリングにロック機構を配設する。攻撃リングは概して金属から作られ、スクリューリングはプラストマー又はプラスチックなどの非金属材料から作られる。攻撃リングの真ん中には円形孔があるが、一体的に配設される接続孔や接続孔に接続する補助の径方向リブなどの構造物がないため、攻撃リングの材料工程及び加工工程が減り、ジャイロにより大きな開発空間を残し、さらに、大きなウェイトを有する攻撃リングの重心は主に外側部分にあるため、回転慣性が大きい。また、ジャイロリングを軸体にロックするためにスクリューリングのロック機構を直接使用するため、カバーを取り外す時、ジャイロリングは軸体から分離せず、したがって、合体ジャイロ玩具に都合よく使用できる。
【０００９】
また、ジャイロリングを反転させた後に、明らかに異なる形状及び重心を有するジャイロを形成するために、また、外観をより美しく、構造をより信頼性の高いものにするために、スクリューリングは、攻撃リングの貫通孔に嵌合配設する上方及び下方カバーリングを備え、ロック機構は、これに対応して上方及び下方カバーリングの内壁に配設される上方及び下方フランジを備え、軸体を上方及び下方カバーリングのリング孔にスリーブ接続する時に、上方及び下方カバーリングは、上方及び下方フランジの嵌合及び係止と軸体に配設したブロック機構により軸体との確実な接続を実現する。上方及び下方カバーリングは、概して異なる形状又は重心設定を有する装着リングを採用する。
【００１０】
本発明では、軸体にジャイロリングを装着する方向を上下反転させることができる構造を採用する。すなわち、ジャイロリングを、上側（表側）を上に向けて軸体に装着することができる、或いはジャイロリングを、下側（裏側）を上に向けて軸体に装着することができる。そのため、本発明のプレーにおいて、ジャイロリングを異なる方向に軸体に取り付けて、異なる形状又は異なる重心高さを有するジャイロを形成できる。例えば、ジャイロは、重心が低い場合には耐久性が強く、重心が高い場合には最高の攻撃を実行することができる。したがって、具現化される機能は異なり、ユーザは対戦相手のジャイロの特徴に応じて異なる方法を選択することができ、ゲームモードがより多様化することによって、構造及びゲームモードが単一であることや面白さが不足しているなどの従来のジャイロの問題を効果的に解決する。さらに、本発明では、ジャイロリングに配設され、軸体に嵌合及び固定可能なロック機構を使用し、カバーを取り外す時、ジャイロリングは軸体から分離せず、構造の信頼性が高い一方、ジャイロリングを反転させて、次いで軸体に接続する時、装着がより簡便である。本発明では、ジャイロリングの上側及び下側の構造形状又は重心が異なるように設定する、或いはロック機構をジャイロリングの中間でない高さ位置に配設して、ジャイロリングの向きを反転させる前後に装着した２つのジャイロの形状及び機能が明らかに異なるようにする。本発明は、設計が巧妙で、構造の信頼性が高く、また、ゲームモードを多様化できるため、プレー中非常に面白く、様々なジャイロの分野に広く適用できる。
【００１１】
次の添付図面を介して本発明をさらに詳しく説明する。
【図面の簡単な説明】
【００１２】
【図１】本発明の実施形態１を示す概略構造図である。
【図２】図１の概略断面構造図である。
【図３】図１の組み立てを示す概略構造図である。
【図４】図１に示すジャイロリングを反転させて装着した概略構造図である。
【図５】図４の概略断面構造図である。
【図６】本発明の先端部を備えた軸体を示す概略構造図である。
【発明を実施するための形態】
【００１３】
図１〜図６に示すように、本発明の両面取り付け可能なジャイロリングを有するジャイロ玩具は、軸体１と、ジャイロリング２と、軸体１に配設する先端部３とカバー４とを備える。ジャイロのプレーモードをより多様化するために、軸体１にジャイロリング２を装着する方向を上下で反転させることができる。すなわち、ジャイロリング２を、上側（表側）を上に向けて軸体１に装着することができる、或いはジャイロリング２を、下側（裏側）を上に向けて軸体１に装着することができるため、軸体１に装着するジャイロリング２の上下の向きを反転させることによって、異なる形状又は異なる重心高さを有するジャイロを形成することができる。本発明のプレーにおいて、ジャイロリング２を異なる方向に軸体１に取り付けて、異なる形状又は異なる重心高さを有するジャイロを形成することができる。例えば、ジャイロは、重心が低い場合には耐久性が強く、重心が高い場合には、最高の攻撃を実行することができる。したがって、具現化される機能は異なり、ユーザは対戦相手のジャイロの特徴に応じて異なる方法を選択することができ、ゲームモードがより多様化することによって、構造及びゲームモードが単一であることや面白さが不足しているなどの従来のジャイロの問題を効果的に解決する。本発明は、ジャイロリング２を反転させた後に、明らかに異なる形状及び重心を有するジャイロを形成することができるように、ジャイロリング２の上側及び下側の構造形状又は重心設定が異なる。さらに、プレー中のジャイロリング２の反転装着が簡便となるようジャイロリング２のカバーを取り外した後でも分離することなくジャイロリング２を軸体１に確実に結合するために、スクリューリングは、軸体１に接続するロック機構を備え、このロック機構によりジャイロリング２を軸体１に確実に接続する。一方、ロック機構をジャイロリング２の中間高さ位置に配設してもよく、また、中間でない高さ位置に配設してもよい。特に、ジャイロの上側及び下側の構造形状又は重心設定が同一である場合、反転後に異なる重心高さを有するジャイロが形成されるように、中間でない高さ位置にあるロック機構を軸体１に接続してもよい。これは、ジャイロの重心高さの変化は主に、第一に、ジャイロリング上の接続機構（ロック機構）の設計位置の高さ、第二に、ジャイロリングの上側と下側の構造的差異による２つの側の重心の相違に影響されるためで、したがって、ジャイロリングの向きを反転させて形成したジャイロは、元のジャイロと異なる全体形状及び全体重心を有する。ジャイロリング２がより大きな回転慣性を有するように、また、ジャイロリングと軸体１の密接な嵌合及び取り付けがより簡便となるように、ジャイロリング２は、真ん中に貫通孔を有する円形攻撃リング２０と、攻撃リング２０の貫通孔に嵌合配設され、攻撃リング２０と軸体１の確実な接続の実現に使用されるスクリューリングとを備える。攻撃リング２０は金属から作られ、スクリューリングはプラストマー又はプラスチックなどの非金属材料から作られる。攻撃リング２０の真ん中には円形孔があるが、一体的に配設される接続孔や接続孔に接続する補助の径方向リブなどの構造物がないため、攻撃リングの材料工程及び加工工程が減り、ジャイロにより大きな開発空間を残し、さらに、大きなウェイトを有する攻撃リングの重心は主に外側部分にあるため、回転慣性が大きい。また、ジャイロリングを軸体１にロックするためにスクリューリングのロック機構を直接使用するため、カバーを取り外す時、ジャイロリング２は軸体１から分離せず、したがって、ジャイロを簡便に組み立てることができる。また、本発明のジャイロリング２を反転させた後に、異なる形状及び重心を有するジャイロを形成するために、また、外観をより美しく、構造をより信頼性の高いものにするために、スクリューリングは、攻撃リング２０の貫通孔に嵌合配設した上方及び下方カバーリング２１、２２を備え、ロック機構は、これに対応して上方及び下方カバーリング２１、２２の内壁に配設した上方及び下方フランジ２３、２４を備え、軸体１を上方及び下方カバーリング２１、２２のリング孔にスリーブ接続する時に、上方及び下方カバーリング２１、２２は、上方及び下方フランジ２３、２４の嵌合及び係止と軸体１に配設したブロック機構により軸体１との確実な接続を実現する。上方及び下方カバーリング２１、２２は、概して異なる形状又は重心設定を有するカバーを採用する。全体の外観をより美的にするために、上方カバーリング２１の内端部を収束構造にし、上方フランジ２３を内端部の開口に配置し、下方カバーリング２２の外端部を収束構造にし、下方フランジ２４を下方カバーリング２２の内壁の中間部分の上方フランジ２３の近傍位置に配設する。軸体１及びジャイロリング２の接続機構の信頼性を高めるために、軸体１は、軸スリーブ１１と、軸スリーブ１１に回転可能に配設するクランプリング１２とを備え、ブロック機構は、軸スリーブ１１の外壁に軸方向に配設され、上方及び下方フランジ２３、２４の摺動に使用される凹状のクランプスロット１３と、クランプリング１２に一体的に配設され、軸スリーブ１２から延出するピン１４とからなり、軸スリーブ１１の外壁は、これに対応してピン１４が進入して水平方向に回転するガイドスロット１５を備え、スクリューリングの上方及び下方フランジ２３、２４がクランプスロット１３内に摺動する時、クランプリング１２は、ピン１４が上方及び下方フランジ２３、２４の上方又は下方を回転するように回転する。したがって、上方及び下方フランジ２３、２４をピン１４とクランプスロット１３の１つの端縁部の間に確実にロックし、ジャイロリング２と軸体１の確実な接続を実現する。加工及び装着をさらに簡便にするために、軸スリーブ１１は、互いに嵌合する上方及び下方軸スリーブ１１１、１１２を備え、下方軸スリーブ１１２の上部を上方軸スリーブ１１１にスリーブ接続し、クランプリング２を上方軸スリーブ１１１と下方軸スリーブ１１２の間に回転可能に配設し、下方軸スリーブ１１１の上部を上端部に配設したカバー４又は別のジャイロの弾性チップの底部と嵌着させてもよく、カバー４の下部と嵌係合する突起部２８をその内壁に配設し、クランプスロット１３を上方軸スリーブ１１１又は下方軸スリーブ１１２の外壁に配設する。クランプリング１２を回転し易くするため、クランプリング１２の上端部は、組立工具と嵌合させて使用できる歯機構をさらに備える。クランプスロット１３を下方軸スリーブ１１２に配設する時、スクリューリングの上方及び下方フランジ２３、２４がクランプスロット１３内に摺動するため、ピン１４が図２に示すように上方及び下方フランジ２３、２４の上方で回転するように、クランプリング１２を組立工具により回転させてもよい。一方、クランプスロット１３を上方軸スリーブ１１１に配設する時、ピン１４は、上方及び下方フランジ２３、２４の下方で回転する。上方及び下方軸スリーブ１１１、１１２のより信頼性の高い接続を可能にするために、ロックねじを用いてさらに確実にロックしてもよい。攻撃リング２０をより確実にスクリューリングに接続できるように、フランジ２５を攻撃リング２０の貫通孔の内壁に一体的に配設し、これに対応して上方及び下方カバーリング２１、２２のフランジ２５に対応する位置に切欠部２６、２７を配設し、上方及び下方カバーリング２１、２２を切欠部２６、２７とフランジ２５の嵌合によって攻撃リング２０に確実に配置する。容易に２つのジャイロを接続してより攻撃力の高い１つのジャイロにするために、ジャイロリング２は、別のジャイロのジャイロリングに回転締め付け可能なクランプリングをさらに備える。先端部の具体的な構造は必要に応じて任意に設定してもよい。この実施形態では、先端部は弾性チップを採用する。本発明は、設計が巧妙で、構造の信頼性が高く、また、ゲームモードを多様化できるため、プレー中非常に面白く、様々なジャイロの分野に広く適用できる。
【００１４】
本発明を特定の実施形態を参照して説明したが、これらの説明は本発明を限定することを意図していない。本発明の説明を参照すれば、開示した実施形態の他の変形が当業者には予測可能であり、そのような変形は特許請求の範囲に規定した範囲に含まれる。
【図１】
2016534840.tif 000003
【図２】
2016534840.tif 000004
【図３】
2016534840.tif 000005
【図４】
2016534840.tif 000006
【図５】
2016534840.tif 000007
【図６】
2016534840.tif 000008
【国際調査報告】
2016534840.tif 000009
2016534840.tif 000010
2016534840.tif 000011
2016534840.tif 000012